(57)【要約】【課題】複数の内容物を決められた順でしか開封しにくくして、間違いなく、順序良く開封させることができる包装袋を得る。【解決手段】  独立した複数の収納部（２）を有し、各々の収納部に異なる内容物を包装する包装袋において、複数の収納部が開封すべき順序に並列に並び、かつ、収納部は並んだ方向に垂直な隔離シール部（４）によって隔離され、並んだ収納部の数と同数の平行脆弱線（５）が収納部の並び方向に並び、最初に開封すべき収納部の第一平行脆弱線開始部分に切り欠き（５１０）を有し、先に開封すべき収納部と、次に開封すべき収納部との間の隔離シール部に繋がる先平行脆弱線は、平行脆弱線に対して直角に切り落とされた断裁線（６）によって切り離され、断裁線の先に隔離シールに平行な垂直脆弱線（７）が繋がり、垂直脆弱線線は次平行脆弱線に繋がっていることを特徴とする包装袋。【選択図】図１
2017159913.tif 000002
【特許請求の範囲】
【請求項１】
一つの包装袋に、独立した複数の収納部を有し、各々の収納部に異なる内容物を包装する包装袋において、
複数の収納部に包装された内容物が開封すべき順序に並列に並び、
かつ、収納部は並んだ方向に垂直な隔離シール部によって隔離されており、
並んだ収納部の数と同数の平行脆弱線が収納部の並び方向に対して平行に並び、
端部に位置する最初に開封すべき収納部の第一平行脆弱線開始部分にのみ切り欠きを有し、
先に開封すべき収納部と、次に開封すべき収納部との間の隔離シール部に繋がる先平行脆弱線は、平行脆弱線に対して直角に切り落とされた断裁線によって切り離され、
断裁線の先に隔離シールに平行な垂直脆弱線が繋がって有り、
垂直脆弱線は先平行脆弱線の一段収納物側に位置する次平行脆弱線に繋がっていることを特徴とする包装袋。
【請求項２】
断裁線の両端部が、切り欠き側に向って伸びた、あるいは切り欠き側に傾けた形状であることを特徴とする請求項１に記載の包装袋。
【請求項３】
平行脆弱線が最内層を除く外層にミシン目を施した脆弱線であることを特徴とする請求項１又は２に記載の包装袋。
【請求項４】
垂直脆弱線が最内層を除く外層にミシン目を施した脆弱線であることを特徴とする請求項１〜３のいずれかに記載の包装袋。
【請求項５】
断裁線の垂直脆弱線反対側端部に円形の孔を有することを特徴とする請求項１〜４のいずれかに記載の包装袋。
【発明の詳細な説明】
【技術分野】
【０００１】
本発明は、一つの包装袋に、独立して複数の内容物を保存し、その内容物を逐次決められた順序で開封させることができる包装袋に関する。
【背景技術】
【０００２】
従来、複数の内容物があり、開封順序を指示する必要がある場合には、印刷した文字や絵柄などで指示するに留まっていた。
しかしながら、指示するだけでは誤って指示と異なる順序で開封されてしまうことがある。
【０００３】
例えば、特許文献１では、前後壁間の下辺に沿って２つ折りにされた底壁が配置され、左右縁、上辺及び中央溶着線においては前後壁が溶着され、下辺部においては前後壁と底壁のみが溶着された連続自立性袋であって、前記下辺部は溶着部上縁が円弧状に湾曲し下縁が前後壁下縁と一致するように溶着され、中央溶着線の延長上には前後壁の溶着部を有せず、内容物の充填によって該底縁も拡がることを特徴とする二連自立性袋を提案している。
【０００４】
この二連自立性袋は、２つの内容物を入れてあった場合、どちらからでも開封が可能である。
例えば、Ａ液とＢ液の２種類の反応剤があって、Ａ液、Ｂ液の順で反応させる必要がある例の場合、このような二連自立性袋では、その順序を逆にしても開封できるので、その反応させる順序が逆に反応させてしまった時には、本来の性能が発揮できない恐れがあるし、危険な事態が発生する場合もある。
【先行技術文献】
【特許文献】
【０００５】
【特許文献１】実開平１−７３１４３号公報
【発明の概要】
【発明が解決しようとする課題】
【０００６】
そこで、複数の内容物を決められた順でしか開封しにくくして、間違いなく、順序良く開封させることができる包装袋を得ることが本発明の課題である。
【課題を解決するための手段】
【０００７】
本発明の包装袋は、一つの包装袋に、独立した複数の収納部を有し、各々の収納部に異なる内容物を包装する包装袋において、
複数の収納部に包装された内容物が開封すべき順序に並列に並び、
かつ、収納部は並んだ方向に垂直な隔離シール部によって隔離されており、
並んだ収納部の数と同数の平行脆弱線が収納部の並び方向に対して平行に並び、
端部に位置する最初に開封すべき収納部の第一平行脆弱線開始部分にのみ切り欠きを有し、
先に開封すべき収納部と、次に開封すべき収納部との間の隔離シール部に繋がる先平行脆弱線は、平行脆弱線に対して直角に切り落とされた断裁線によって切り離され、
断裁線の先に隔離シールに平行な垂直脆弱線が繋がって有り、
垂直脆弱線は先平行脆弱線の一段収納物側に位置する次平行脆弱線に繋がっていることを特徴とする包装袋である。
【０００８】
本発明の包装袋は、第一の収納部を開封しなければ、第２の収納部を開封することができないので、開封する順序を間違えることがない。その為、順次、決められた順序で混合、あるいは塗布することができる。
さらに、より多くの収納部を設けた包装袋とすることも、容易に可能である。
【図面の簡単な説明】
【０００９】
【図１】本発明の包装袋の例で、ふたつの内容物を順次開封するタイプで、その開封前の状態と、切り欠きを起点に第一水平脆弱線を切り裂いた状態を示す図である。
【図２】本発明の包装袋の例で、最初に開封すべき内容物を取り出す工程と、断裁線の先の垂直脆弱線を切り裂いた状態を示す図である。
【図３】本発明の包装袋の例で、２番目の水平脆弱線を切り裂く工程と、２番目の内容物を取り出す工程を示す図である。
【図４】本発明の包装袋の例で、三つの内容物を順次開封するタイプで、その開封前の状態と、３番目の収納部まで切り裂いた状態を示す図である。
【図５】本発明の包装袋の例で、縦断裁線における形状の例を示す図である。
【発明を実施するための形態】
【００１０】
以下、本発明の包装袋の実施形態例について、図を用いて詳細に説明する。
図１−１は本発明の包装袋の例で、ふたつの内容物を順次開封するタイプの包装袋を示す図である。
本発明の包装袋１は、一つの包装袋に、独立した複数の収納部２を有し、各々の収納部に異なる内容物３を包装する包装袋である。
収納部２は、左から最初に開封すべき第一内容物３１、次に２番目に開封すべき第二内容物３２というように、横に並列に並べて収納部が設けられている。
そして、第一内容物３１を収納する第一収納部２１と、第二内容物３２を収納する第二収納部２２との間には、並ぶ方向に垂直に隔離シール部４が設けられており、その隔離シール部によって第一収納部２１と第二収納部２２が隔てられている。
【００１１】
また、並んだ収納部の数２と同数である２本の平行脆弱線５が、その並んだ方向に対して平行に設けられている。この図では左右方向に平行脆弱線が包装袋の上方に設けられていて、上方の脆弱線が第一平行脆弱線５１で、第一平行脆弱線の下側に設けられている脆弱線が第二平行脆弱線５２である。
平行脆弱線は、最内層のシーラント層を除く基材層などを含む外層にミシン目を施してあって、包装袋を構成するフィルムを容易に引き裂いて、開封することができるようにしてある。ミシン目ではなく、レーザー光を照射するなどして、破損し易くしたものであってもかまわない。
また、第一平行脆弱線の第一収納部側の外周シール部１１には、切り欠き５１０が設けられている。この切り欠き５１０によって、第一平行脆弱線が、第一番目に開封するべき脆弱線であることを示していると共に、引き裂きを開始し易くしている。
【００１２】
第一平行脆弱線５１と、第一収納部２１と第二収納部２２との間で隔離している隔離シール部４とが交差しているところに、第一平行脆弱線５１に対し、直角方向に断裁線６が走り、第一平行脆弱線５１を直角に切り落としている。
断裁線６は、包装袋の表から裏まで線状に断裁している線で、切り落としているところは第一平行脆弱線５１に対し直角であるが、コの字型をした断裁線６で、上下には、切り欠き側に向って走った断裁部を有している。できれば、図５−１で示すように、コの字の角に円弧で繋がっていることが望ましい。
図５−１のようにコの字であっても良いが、図５−２で示すように円弧であっても良いし、図５−３で示すような台形のような形状であってもかまわない。
いずれにしても、断裁線６の両端部が、切り欠き側に向って伸びた、あるいは切り欠き側
に傾けた形状であることが望ましい。
断裁線６の下端には、隔離シール方向に平行な垂直脆弱線７が繋がっている。そして、第一平行脆弱線５１の次に平行に設けられた次平行脆弱線である第二平行脆弱線５２に、垂直脆弱線７の他端が繋がっている。この垂直脆弱線７も、最内層のシーラント層を除く基材層などを含む外層にミシン目やレーザー光照射を施してあって、包装袋を構成するフィルムを容易に引き裂きしやすくしたものである。
又、垂直脆弱線７とは反対側の断裁線６端部には、円形の孔６０を設け、垂直脆弱線側にしか引き裂かれないようにすることが望ましい。
【００１３】
図１−２は、切り欠き５１０を起点に第一水平脆弱線５１を切り裂いて、第一収納部２１を開封した状態を示す図である。
切り欠き５１０があることで、どこが最初に開封すべき第一収納部２１であるか、明確であり、迷わず第一収納部２１の上部を引き裂いて、開封することができる。
第一水平脆弱線５１を切り欠き５１０側から引き裂いて、断裁線６の部分まで引き裂いたところで、第一水平脆弱線５１が断裁されているので、その断裁線６部分で引き裂きは止まる。
引き裂く力が余っても、断裁線が隔離シールに平行で、水平脆弱線に対し直角になっているので、引き裂く方向がずれて、第二収納部２２の方にまで引き裂かれない。特に、断裁線の両端部を切り欠き側に向って伸びた、あるいは切り欠き側に傾けた形状にしておけば、より、第二収納部２２の方にまで引き裂きされることはない。
【００１４】
図２−１は、第一収納部２１の引き裂いた上端の開封部分から、最初に開封して取り出すべき第一内容物を取り出す工程を示す図である。
引き裂いた第一収納部２１の上端は、手前か裏面側に押しやって、第一収納部２１の上方開口部を大きく開封できるので、容易に取り出すことが出来る。
【００１５】
図２−２は、第一収納部２１の引き裂いた上端の開封部分を持って、さらに引き裂き、断裁線６の先に接続する垂直脆弱線７を引き裂いた状態を示す図である。
この垂直脆弱線７も、最内層のシーラント層を除く基材層などを含む外層にミシン目やレーザー光照射を施してあって、包装袋を構成するフィルムを容易に引き裂きしやすくしてある。
垂直脆弱線７とは反対側の断裁線６端部は、一部引き裂いた包装袋の上方部分を持って引っ張って引き裂くので、引き裂く方向が異なり、引き裂かれることがない。
さらに、切り裂かれなかった残りの第一平行脆弱線は、断裁線に対して直角で、その先まで切れているので、断裁線６の先に接続する垂直脆弱線７の方に引き裂きの力が向うので、残った第一平行脆弱線は引き裂かれないで残りやすい。
【００１６】
図３−１は、引き裂かれた垂直脆弱線７と第２平行誘導線５２の交点で、垂直脆弱線の端部を起点に第二水平脆弱線５２の第二収納部側を引き裂いて、第二収納部２２を開封する工程を示す図である。
垂直脆弱線７と第２平行誘導線５２とが交差しているので、引き裂く時、手に持って引っ張る時は、第二収納部の第２平行誘導線５２上側と、第二収納部の第２平行誘導線５２下側とを持って、それらを互いに引っぱって、引き裂くようにする。
【００１７】
図３−２は、第二水平脆弱線５２を引き裂いて、第二収納部２２の上方を開封し、第二内容物を取り出す状態を示す図である。
第二水平脆弱線５２は端部まで加工してあるので、完全に包装袋１の上方を引き裂いて外すことができる。その為、第二収納部２２の上方開口部を大きく開封できるので、容易に第二内容物を取り出すことが出来る。
【００１８】
図４−１は本発明の包装袋の例で、三つの内容物を順次開封するタイプの包装袋を示す図である。
収納部２は、左から最初に開封すべき第一内容物３１、次に２番目に開封すべき第二内容物３２、３番目に開封すべき第三内容物３３というように、横に並列に並べて収納部が設けられている。
そして、第一内容物３１を収納する第一収納部２１と、第二内容物３２を収納する第二収納部２２との間には、並ぶ方向に垂直に第一隔離シール部４１が設けられ、同じように、第二収納部２２と、第三内容物３３を収納する第三収納部２３との間にも、並ぶ方向に垂直に第二隔離シール部４２が設けられ、それらの隔離シール部によって隔てられて、各収納部がそれぞれ独立した収納部を形成している。
【００１９】
また、並んだ収納部の数３と同数である３本の平行脆弱線５が、その並んだ方向に対して平行に設けられている。この図では左右方向に平行脆弱線が包装袋の上方に設けられていて、一番上端側の脆弱線が第一平行脆弱線５１で、第一平行脆弱線５１の下側に、第二平行脆弱線５２、第三平行脆弱線５３の順で平行に設けられている。
また、第一平行脆弱線の第一収納部側の外周シール部１１には、切り欠き５１０が設けられている。この切り欠き５１０によって、第一平行脆弱線が、第一番目に開封するべき脆弱線であることを示していると共に、引き裂きを開始し易くしている。
【００２０】
第一平行脆弱線５１と第一隔離シール部４１とが交差しているところに、第一平行脆弱線５１に対し、この例では円弧形状の第一断裁線６１が走っている。円弧状の第一断裁線６１も、第一平行脆弱線５１と交差しているところは直角に交わって、直角に第一平行脆弱線５１を切り落としている。円弧状の第一断裁線６１は、両端が第一収納部側に傾斜しているので、確実に第一平行脆弱線の引き裂きを止めることができる。
第二平行脆弱線５２も第二隔離シール部４２と交差しているところに、第二平行脆弱線５２に対し、円弧形状の第二断裁線６２が走って第二平行脆弱線５２と交差し、直角に第二平行脆弱線５２を切り落としている。
【００２１】
それぞれの断裁線下端には、隔離シール方向に平行な垂直脆弱線７が繋がっている。そして、先平行脆弱線である第一平行脆弱線の次に平行に設けられた次平行脆弱線である第二平行脆弱線５２に、垂直脆弱線７の他端が繋がっている。また、第二平行脆弱線の次に平行に設けられた次平行脆弱線である第三平行脆弱線５３にも、垂直脆弱線７の他端が繋がっている。
【００２２】
図４−２は、三つの内容物を順次開封するタイプで、その開封工程で３番目の収納部まで切り裂いた状態を示す図である。
まず、切り欠き５１０を起点に第一水平脆弱線５１を引き裂いて、第一収納部２１を開封する。第一水平脆弱線５１の引き裂きは、第一断裁線６１で止まる。第一収納部２１の上方に引き裂いた開封部分ができるので、最初に開封して取り出すべき第一内容物３１を取り出すことができる。
引き裂いた第一収納部２１の上端は、手前か裏面側に押しやって、第一収納部２１の上方開口部を大きく開封できるので、容易に取り出すことが出来る。
【００２３】
次に、第一収納部２１の引き裂いた上端の開封部分を持って、さらに引き裂き、第一断裁線６１の先に接続する垂直脆弱線７を切り裂く。引き裂かれた垂直脆弱線７と第２平行誘導線５２の交点で、垂直脆弱線７の端部を起点に第二水平脆弱線５２の第二収納部側を引き裂いて、第二収納部２２上方を開封することができるので、第二内容物３２を第二収納部から取り出す。
【００２４】
さらに、第二収納部２２の引き裂いた上方の開封した外周シール部分を持って、さらに
引き裂き、第二断裁線６２の先に接続する垂直脆弱線７を切り裂く。引き裂かれた垂直脆弱線７と第３平行誘導線５３の交点で、垂直脆弱線７の端部を起点に第三水平脆弱線５３の第三収納部側を引き裂いて、第三収納部２３の上方を開封することができる。特に、第三水平脆弱線５３は外周シールの端部まで加工してあるので、完全に包装袋１の上方を引き裂いて外すことができる。その為、第三収納部２３の上方開口部を完全に大きく開封できるので、容易に第三内容物３３を取り出すことが出来る。
【００２５】
本発明の包装袋は以上のようなもので、包装袋に用いられるフィルムは、外側に基材層、最内層にシーラント層を配した積層フィルムであって、例えば、２軸延伸ポリエチレンテレフタレート１２μｍ／接着剤／２軸延伸６−ナイロン１５μｍ／接着剤／直鎖状低密度ポリエチレン５０μｍのような構成の積層フィルムが考えられる。
基材層としては、２軸延伸ポリエチレンテレフタレート、２軸延伸ポリプロピレン、２軸延伸ポリアミドなどが使用できる。
また、最内層のシーラント層としては、低密度ポリエチレン、直鎖状低密度ポリエチレン、エチレン・酢酸ビニル共重合体、エチレン・プロピレン共重合体、エチレン・メチルメタアクリル酸共重合体、エチレン・アクリル酸共重合体、エチレン・メチルアクリレート共重合体、アイオノマー、などが使用できる。
もちろん、中間にアルミニウム箔、あるいはアルミニウムのような金属蒸着層や酸化金属蒸着層を中間に有する積層フィルムにしても良い。
これらは、エクストルーダーラミネーション機やドライラミネーション機を使用して積層することができる。また、表印刷を施しても良い。
【００２６】
本発明の包装袋は、以上のようなもので、複数の内容物を決められた順でしか開封しにくくして、間違いなく、順序良く開封して、適切な仕様に基づいた内容物の使用を促すことができる包装袋である。
すなわち、第一の収納部を開封しなければ、第二の収納部を開封することができない。第二の収納部を開封しないと、第三の収納部を開封できない。その為、開封する順序を間違えることがない。
すなわち、順次、決められた順序で開封して、混合、あるいは塗布などを行ない、適切なすることができる。
さらに、本発明は、より多くの収納部を設けた包装袋として、複雑な工程を無理なくこなすことも、容易に可能な包装袋である。
しかも、単に積層フィルムの表裏に脆弱線や断裁線を加工するだけで、本発明の包装袋を製造することができるので、生産性も高く、安価で、効率的に製造可能であるなど、本発明のメリットは大きい。
【符号の説明】
【００２７】
１・・・・・・・・包装袋
１１・・・・・・・外周シール部
２・・・・・・・・収納部
２１・・・・・・・第一収納部
２２・・・・・・・第二収納部
２３・・・・・・・第三収納部
３・・・・・・・・内容物
３１・・・・・・・第一内容物
３２・・・・・・・第二内容物
３３・・・・・・・第三内容物
４・・・・・・・・隔離シール部
４１・・・・・・・第一隔離シール部
４２・・・・・・・第二隔離シール部
５・・・・・・・・平行脆弱線
５１・・・・・・・第一平行脆弱線
５１０・・・・・・切り欠き
５２・・・・・・・第二平行脆弱線
５３・・・・・・・第三平行脆弱線
６・・・・・・・・断裁線
６０・・・・・・・孔（円形の孔）
６１・・・・・・・第一断裁線
６２・・・・・・・第二断裁線
７・・・・・・・・垂直脆弱線
【図１】
2017159913.tif 000003
【図２】
2017159913.tif 000004
【図３】
2017159913.tif 000005
【図４】
2017159913.tif 000006
【図５】
2017159913.tif 000007